(57)【特許請求の範囲】
【請求項１】
冷蔵室と、冷凍室と、冷媒が流通する冷媒流路と、冷媒の流通により冷凍サイクルを運転する圧縮機と、前記圧縮機の吐出側に接続される凝縮器と、前記凝縮器の吐出側と前記圧縮機の吸込側の間に配されるとともに前記冷蔵室及び前記冷凍室の内で前記冷蔵室のみに流入する冷気を生成する冷蔵室用蒸発器と、前記凝縮器の吐出側と前記圧縮機の吸込側の間に前記冷蔵室用蒸発器と並列に配されるとともに前記冷蔵室及び前記冷凍室の内で前記冷凍室のみに流入する冷気を生成する冷凍室用蒸発器と、前記冷蔵室用蒸発器に対応して設けられる第１絞り装置と、前記冷凍室用蒸発器に対応して設けられる第２絞り装置と、前記凝縮器の吐出側で分岐される前記冷媒流路の分岐点に配される分岐弁とを備え、
前記分岐弁は、チャンバーの底面に設けられて第１絞り装置に接続される第１出口部と、第１出口部を開閉するニードルと、前記チャンバーの側面に設けられて冷媒が流入する入口部と、前記チャンバーの側面に設けられて前記ニードルにより第１出口部を閉じた際に液冷媒内に前記ニードルの一部が埋没することにより液面が上昇した液冷媒によって常に覆われるとともに第１出口部を開いた際に下降する液冷媒の液面よりも上方に配される第２出口部とを有して、第１出口部を開いて前記冷蔵室用蒸発器及び前記冷凍室用蒸発器に冷媒を供給する状態と第１出口部を閉じて前記冷凍室用蒸発器のみに冷媒を供給する状態とに切り替え、
前記分岐弁から前記冷蔵室用蒸発器及び前記冷凍室用蒸発器に冷媒を供給する際に、第１絞り装置に送り出す冷媒が液冷媒を主体として第２絞り装置に送り出す冷媒がガス冷媒を主体とするとともに、第１絞り装置の減圧量を第２絞り装置の減圧量よりも小さくしたことを特徴とする冷蔵庫。
【請求項２】
前記凝縮器と前記分岐弁の間に第３絞り装置を設けたことを特徴とする請求項１に記載の冷蔵庫。
【請求項３】
第３絞り装置によって第１絞り装置または第２絞り装置を兼ねたことを特徴とする請求項２に記載の冷蔵庫。
【発明の詳細な説明】
【０００１】
【発明の属する技術分野】
本発明は複数個の蒸発器をもつ冷凍サイクルを備えた冷蔵庫に関するものである。
【０００２】
【従来の技術】
従来のこの種の冷蔵庫は、例えば特開平１０−４７８２７号公報に示されるように、冷蔵室と冷凍室をもち、前記各々の部屋には室温感知のための冷蔵室温度感知装置と冷凍室温度感知装置を設け、圧縮機と、前記圧縮機に並列に接続された複数個の蒸発器と、前記各々の蒸発器に対応して設けられた絞り装置と、凝縮器と、冷媒流路とを備えて冷凍サイクルを構成し、前記蒸発器には冷蔵室用蒸発器と冷凍室用蒸発器とがあり、前記蒸発器の各々を冷却するための冷蔵室用ファンと冷凍室用ファンをもち、前記凝縮器の少なくとも一部を冷却する凝縮器用ファンを設け、前記冷凍サイクルの冷蔵室用蒸発器につながる絞り装置と前記凝縮器との間に分岐弁を設け、前記冷蔵室用ファンと冷凍室用ファンを交互に運転させ、前記冷蔵室用ファンの運転に同期して前記分岐弁を開閉させ、前記冷蔵室の冷却運転時は前記冷凍室の冷却運転時に比較して冷凍能力を減少させるものがある。
【０００３】
【発明が解決しようとする課題】
前記のような冷蔵庫では、冷蔵室と冷凍室が同時に設定温度以上になったとき（例えば：新たに貯蔵品を冷蔵室と冷凍室に同時に多量に入れて双方の室温があがる。）、優先されていない前記貯蔵室（例えば：冷蔵室）に貯蔵されている貯蔵品の鮮度が低下するという課題や、各室が個別で冷却される為エネルギー消費量が高くなるという課題があった。
【０００４】
【課題を解決するための手段】
本発明の冷蔵庫は前記のような課題を解決したもので、冷蔵室と、冷凍室と、冷媒が流通する冷媒流路と、冷媒の流通により冷凍サイクルを運転する圧縮機と、前記圧縮機の吐出側に接続される凝縮器と、前記凝縮器の吐出側と前記圧縮機の吸込側の間に配されるとともに前記冷蔵室及び前記冷凍室の内で前記冷蔵室のみに流入する冷気を生成する冷蔵室用蒸発器と、前記凝縮器の吐出側と前記圧縮機の吸込側の間に前記冷蔵室用蒸発器と並列に配されるとともに前記冷蔵室及び前記冷凍室の内で前記冷凍室のみに流入する冷気を生成する冷凍室用蒸発器と、前記冷蔵室用蒸発器に対応して設けられる第１絞り装置と、前記冷凍室用蒸発器に対応して設けられる第２絞り装置と、前記凝縮器の吐出側で分岐される前記冷媒流路の分岐点に配される分岐弁とを備え、
前記分岐弁は、チャンバーの底面に設けられて第１絞り装置に接続される第１出口部と、第１出口部を開閉するニードルと、前記チャンバーの側面に設けられて冷媒が流入する入口部と、前記チャンバーの側面に設けられて前記ニードルにより第１出口部を閉じた際に液冷媒内に前記ニードルの一部が埋没することにより液面が上昇した液冷媒によって常に覆われるとともに第１出口部を開いた際に下降する液冷媒の液面よりも上方に配される第２出口部とを有して、第１出口部を開いて前記冷蔵室用蒸発器及び前記冷凍室用蒸発器に冷媒を供給する状態と第１出口部を閉じて前記冷凍室用蒸発器のみに冷媒を供給する状態とに切り替え、
前記分岐弁から前記冷蔵室用蒸発器及び前記冷凍室用蒸発器に冷媒を供給する際に、第１絞り装置に送り出す冷媒が液冷媒を主体として第２絞り装置に送り出す冷媒がガス冷媒を主体とするとともに、第１絞り装置の減圧量を第２絞り装置の減圧量よりも小さくしたことを特徴とするものである。
【００１２】
また本発明の冷蔵庫は、前記凝縮器と前記分岐弁の間に第３絞り装置を設けたことを特徴とするものである。
【００１３】
また本発明の冷蔵庫は、第３絞り装置によって第１絞り装置または第２絞り装置を兼ねたことを特徴とするものである。
【００１４】
【発明の実施の形態】
以下、本発明の冷蔵庫の実施の形態を図面とともに説明する。
【００１５】
図１は本発明の冷蔵庫のブロック説明図、図２は本発明の冷蔵庫のチェックバルブの説明図、図３は本発明の冷蔵庫の三方弁の説明図である。
【００１６】
図１において、１は圧縮機、２は凝縮器、３は冷凍室用蒸発器４につながる冷凍室用絞り装置、５は分岐弁、６は冷蔵室用蒸発器７につながる冷蔵室用絞り装置、８は前記凝縮器２の少なくとも一部を冷却するための凝縮器用ファン、９は前記冷凍室用蒸発器４で冷却された冷気を冷凍室１０に送り出すための冷凍室用ファン、１１は前記冷蔵室用蒸発器７で冷却された冷気を冷蔵室１２に送り出すための冷蔵室用ファン、１３は冷凍室温度感知装置、１４は冷蔵室温度感知装置である。
【００１７】
なお、冷凍室用絞り装置３と冷凍室用蒸発器４、冷蔵室用絞り装置６と冷蔵室用蒸発器７は並列に接続されており、分岐弁５は前記冷凍室用絞り装置３、前記冷蔵室用絞り装置６の各々の絞り装置と前記凝縮器２との間に設けられており、圧縮機１、凝縮器２、分岐弁５、冷凍室用絞り装置３、冷凍室用蒸発器４、冷蔵室用絞り装置６、冷蔵室用蒸発器７は冷凍サイクルを形成している。
【００１８】
そして、冷凍室１０と冷蔵室１２がともに設定温度（例えば：設定温度：冷凍室１０＝−１８℃、冷蔵室１２＝５℃）より高いとき、冷凍室温度感知装置１３や冷蔵室温度感知装置１４が室温を感知し、制御装置（不図示）にて圧縮機１が運転され、凝縮器２で液化された冷媒の内の一部が、開かれた分岐弁５から冷凍室用絞り装置３を通り冷凍室用蒸発器４で蒸発しながら周囲の空気から熱を奪って流れ、また、凝縮器２で液化された冷媒の内の一部が、開かれた分岐弁５から冷蔵室用絞り装置６を通り冷蔵室用蒸発器７で蒸発しながら周囲の空気から熱を奪って流れ、気化状態で圧縮機１に戻り、一連の冷凍サイクルとなる。
【００１９】
また、このとき、凝縮器用ファン８や冷凍室用ファン９や冷蔵室用ファン１１も同期して運転され、凝縮器用ファン８は凝縮器２を冷却し冷媒の液化を助け、冷凍室用ファン９や冷蔵室用ファン１１は各々冷凍室１０や冷蔵室１２に冷凍室用蒸発器４や冷蔵室用蒸発器７で冷却された冷気を送り、冷凍室１０や冷蔵室１２を所定の室温にまで冷却することになる。そのため、冷凍室１０や冷蔵室１２に同時に多くの貯蔵品を新に貯蔵しても、即座に冷却され、貯蔵品の劣化を防止できる。
【００２０】
なお、冷蔵室１２が所定の室温（例えば：３℃）になると、分岐弁５の冷蔵室用絞り装置６側出口が閉じられ、冷蔵室用蒸発器７に冷媒が流れ込まなくなる。そして、所定の時間が経過した後、冷蔵室用ファン１１は停止される。
【００２１】
また、この時冷凍室１０が所定の温度（例えば：−１８℃）になっていないと、圧縮機１や凝縮器用ファン８や冷凍室用ファン９の運転は継続され、圧縮機１の冷凍能力は制御装置（不図示）にて所定値まで下げられ、同時に凝縮器用ファン８もその能力に応じた回転数に下げられる。そのため、効率よく圧縮機１や凝縮器用ファン８が運転されエネルギーの省力化につながる。
【００２２】
なお、前記で冷蔵室用ファン１１の運転が所定の回転数に下げられ、運転が継続されるようにしておくと、冷蔵室１２内の冷気撹拌に役立ち、さらには、冷蔵室用蒸発器７が霜付き状態になっている場合、冷蔵室１２内の冷気により前記冷蔵室用蒸発器７の除霜に役立ち、また、前記除霜により冷蔵室１２内の加湿にも役立つ。
【００２３】
また、冷蔵室１２が設定された所定の室温（例えば：５℃）より高くなり、そのとき、冷凍室１０は設定された所定の室温（例えば：−１８℃）以下のときは、冷凍室温度感知装置１３や冷蔵室温度感知装置１４が各々の室温を感知し、その感知温度に基づき、制御装置（不図示）にて圧縮機１の冷凍能力を必要能力に応じて、冷凍室１０と冷蔵室１２とがともに設定温度（例えば：設定温度：冷凍室１０＝−１８℃、冷蔵室１２＝５℃）より高く冷凍室１０と冷蔵室１２を同時に冷却するときよりは低い能力で運転され、凝縮器用ファン８や冷凍室用ファン９の回転数もそれに応じて制御装置（不図示）にて下げられて運転されるため、効率よく圧縮機１や凝縮器用ファン８や冷凍室用ファン９が運転されエネルギーの省力化につながる。
【００２４】
そして、このとき、前記冷凍室１０が必要以上の過冷却状態（例えば：−２１℃以下の温度）になることを防ぐため、冷凍室温度感知装置１３による冷凍室向けの切替温度を高くなる（例えば：切替温度＝−２１℃から−１９℃にあげる。）ように、制御装置（不図示）の設定が、前記各々の室温に基づき、変わるようにしておき、冷凍室温度感知装置１３や冷蔵室温度感知装置１４の感知状態に基づき、制御装置（不図示）にて圧縮機１の冷凍能力を必要能力に応じて、前記のような冷凍室１０と冷蔵室１２を同時に冷却するときよりは切り替えられて低い能力で運転され、凝縮器用ファン８や冷凍室用ファン９の回転数もそれに応じて制御装置（不図示）にて切り替えられて下げられ運転されるようにしておく。
【００２５】
前記により、前記冷凍室１０が必要以上に冷却（過冷却）されずに、適度に外部からの熱の侵入に対して冷却状態が維持でき、また、圧縮機１のＯＮ−ＯＦＦの回数も増えず、そのため、圧縮機１の起動時に多量に必要とする消費電力の増加もなく、消費電力が少なく効率よく冷蔵室１２や冷凍室１０を冷却することができ、さらに効率よく圧縮機１や凝縮器用ファン８や冷凍室用ファン９が運転され、いっそうエネルギーの省力化につながる。
【００２６】
なお、このとき圧縮機の冷凍能力を変える手段として圧縮機電動機の回転数を減らしそれに連動して動くピストンの冷媒圧縮回数減により冷凍サイクル内の冷媒循環量を減らす方法や冷凍室用絞り装置３及び冷蔵室用絞り装置６を可変型絞り弁や開閉弁と数種類の状態に合わせたキャピラリーチューブとの組み合わせの切替式絞り装置を少なくとも一部に含む絞り装置にして、それらの状態に合った冷媒流や圧力差とする絞り状態（例えば：圧縮機１の低下能力に応じて、冷凍室用絞り装置３や冷蔵室用絞り装置６を絞る。）にしてもよい。
【００２７】
図２において、本図は分岐弁５の役目をするチェックバルブ１５の概略図であり、出口開閉のためのニードル１５ａを含む電磁弁機構１５ｂをもち、入口１５ｃと２個所の出口１５ｄ、１５ｅを備えている。また、前記入口１５ｃと出口１５ｄは同じ側にあり、上に出口１５ｄを下に入口１５ｃを配置しており、残りの出口１５ｅは前記入口１５ｃより低い位置にあり、前記電磁弁機構１５ｂの通電によるニードル１５ａの移動により、前記出口１５ｅは開閉可能となっている。
【００２８】
また、チェックバルブ１５の入口１５ｃは前記凝縮器２と、出口１５ｄは冷凍室用絞り装置３と、出口１５ｅは冷蔵室用絞り装置６と各々つながっている。そして、冷凍室１０と冷蔵室１２がともに設定温度（例えば：設定温度：冷凍室１０＝−１８℃、冷蔵室１２＝５℃）より高いときは、冷凍室温度感知装置１３や冷蔵室温度感知装置１４が室温を感知し、制御装置（不図示）にてチェックバルブ１５の電磁弁機構１５ｂに通電されニードル１５ａが上方に移動して、出口１５ｅは開放される。
【００２９】
そして、圧縮機１が運転され、凝縮器２で液化された冷媒が、チェックバルブ１５の入口１５ｃからチャンバー１５ｆ内に流れ込み、その後、出口１５ｄから流れ出し、冷凍室用絞り装置３や冷凍室用蒸発器４で膨張・乾燥気化しながら周囲の空気から熱を奪って流れ、また、凝縮器２で液化された冷媒が、チェックバルブ１５の入口１５ｃからチャンバー１５ｆ内に流れ込み、その後、開かれたチェックバルブ１５の出口１５ｅから流れ出し、冷蔵室用絞り装置６や冷蔵室用蒸発器７で膨張・乾燥気化しながら周囲の空気から熱を奪って流れ、気化した状態で冷媒が圧縮機１に戻ることとなる。
【００３０】
なお、このとき、チェックバルブ１５のチャンバー１５ｆ内では冷媒が気液分離し、上方にガス冷媒を主体とする冷媒が、また下方に液冷媒を主体とする冷媒が存在するようにチャンバー１５ｆ内の容積が設定されている。
【００３１】
そして、前記出口１５ｄは上方のガス冷媒を主体とする冷媒の領域に位置し、前記出口１５ｅは下方の液冷媒を主体とする冷媒の領域に位置しているため、冷凍室用絞り装置３を通り冷凍室用蒸発器４へ流れる冷媒は、ガス冷媒を主体とする冷媒となり、冷蔵室用絞り装置６を通り冷蔵室用蒸発器７へ流れる冷媒は、液冷媒を主体とする冷媒となるため、冷蔵室用絞り装置６の絞り量は冷凍室用絞り装置３の絞り量より少な目に絞り、減圧量においては冷蔵室用絞り装置６のほうが冷凍室用絞り装置３より、より小さい減圧量に設定されていても、前記出口１５ｄや出口１５ｅから前記冷凍室用絞り装置３や冷蔵室用絞り装置６へ各々設定どおりの安定した冷媒流が得られることになる。
【００３２】
なお、前記で、冷凍室用絞り装置３を通り冷凍室用蒸発器４へ流れる前記出口１５ｄでの冷媒が、湿りガス冷媒のみであるときは、その冷却能力は低下するが、冷媒流の安定はより確実なものとなり、冷凍室用絞り装置３を通り冷凍室用蒸発器４へ流れる前記出口１５ｄでの冷媒が、気液冷媒でありその液体比が大きい冷媒となると、その冷凍能力は向上するが冷媒流の不安定さは増す。そして、冷媒流が不安定になる場合は、冷蔵室用絞り装置６の絞り量と冷凍室用絞り装置３の絞り量の差を少なくして、冷媒流の安定化を図るようにすればよい。
【００３３】
また、所定の絞り装置（例えば：キャピラリーチューブ）を通過する流体が液体と気体の場合では、同じ体積が所定時間に通過するときの流体抵抗は、その粘性の影響から液体が前記絞り装置を通過する場合のほうが大きくなるため、冷蔵室用絞り装置６と冷凍室用絞り装置３を同時に冷媒が流れるとき、前記双方の絞り装置を液冷媒が流れる場合よりは、冷蔵室用絞り装置６のみに液冷媒が流れ、他方の冷凍室用絞り装置３はガス冷媒が流れる場合のほうが、冷蔵室用絞り装置６と冷凍室用絞り装置３の合成の流体抵抗は低くなる。
【００３４】
そのため、冷蔵室用絞り装置６と冷凍室用絞り装置３を同時に液冷媒を主体とする冷媒が流れる場合に比べ、冷蔵室用絞り装置６のみに液冷媒を主体とする冷媒が流れ、他方の冷凍室用絞り装置３はガス冷媒を主体とする冷媒が流れる場合のほうが合成の流体抵抗は低くなるため蒸発温度は高くバランスし、これにより冷蔵室用蒸発器７の蒸発温度が安定した冷媒流の状態を保ちながら高く設定できることになる。
【００３５】
また、冷蔵室用絞り装置６側に液冷媒を主体とする冷媒が流れるため、冷蔵室用蒸発器７側の冷力は高く保持でき、冷蔵室用蒸発器７側の蒸発器能力が大きくなる。
【００３６】
そして、チェックバルブ１５本体を適度に傾斜させたりして、液冷媒を主体とする冷媒面と出口１５ｄとの高さ関係を調整することにより、出口１５ｅから冷蔵室用絞り装置６を通り冷蔵室用蒸発器７へ流れる冷媒は、液冷媒を主体とする冷媒であり、前記出口１５ｄから冷凍室用絞り装置３に流れる冷媒は、ガス冷媒を主体とする冷媒となるように設定でき、各々に流れる冷媒の気液比を適度に調整したものとなり、冷凍室用蒸発器４と冷蔵室用蒸発器７を同時に冷媒が安定して流れる前記各々の蒸発器の最適な冷力状態を保つ冷凍サイクルが得られる。
【００３７】
なお、前記各々の出口の位置は、その設定条件にあわせ、液冷媒を主体とする冷媒面に対し、適度な位置に設定すればよい。なお、本図においては、液冷媒を主体とする冷媒面が適度の位置にあり、チェックバルブ１５は傾斜させる必要がない状態で、必要設定条件となっているときの例である。
【００３８】
そのため、前記チェックバルブ１５において液冷媒を主体とする冷媒とガス冷媒を主体とする冷媒に分離させ、サイクル設定条件にあわせ、前記分岐弁の複数の出口の各々を液冷媒を主体とする冷媒側かガス冷媒を主体とする冷媒側の何れかもしくはその近くに位置させておくと、各々に流れる冷媒の気液比を適度に調整したものとなり、複数個の蒸発器を同時に冷媒が安定して流れる前記各々の蒸発器の最適な冷力状態を保つ冷凍サイクルが得られることになる。
【００３９】
なお、前記のようなチェックバルブ１５本体の調整状態でチェックバルブ１５を冷蔵庫本体に固定するようにしておくとよいことになる。
【００４０】
また、前記で凝縮器２と分岐弁５であるチェックバルブ１５の間に、共通の絞り装置（不図示）を設けて、ある程度減圧しておくと、凝縮器２で液化された冷媒が、前記共通の絞り装置を通過して気液冷媒となり、前記チェックバルブ１５のチャンバー１５ｆ内では冷媒が気液分離し、上方にガス冷媒を主体とする冷媒が、下方に液冷媒を主体とする冷媒がいっそう存在しやすくなる。
【００４１】
そして、前記チェックバルブ１５はニードル１５ａにて出口１５ｅを閉じたとき、液冷媒を主体とする冷媒内に前記ニードル１５ａの一部が埋没することになり、そのため、ニードル１５ａの埋没体積にて液冷媒を主体とする前記冷媒の液面が上昇し、出口１５ｄを液冷媒を主体とする冷媒にて冷凍サイクル運転の間つねに覆うようにしておくと、冷凍室用絞り装置３には常に液冷媒を主体とする冷媒が出口１５ｄから流れ出し、冷凍室用蒸発器４側の蒸発器能力を常に大きく保つことができ、冷凍室用蒸発器４の冷却能力の向上となる。
【００４２】
さらに、ニードル１５ａにて出口１５ｅが閉じられたときの、ニードル１５ａと出口１５ｅとの領域以外の領域で、前記入口１５ｃを設けても、前記同様の効果は得られる。
【００４３】
図３において、本図は分岐弁５の役目をする三方弁１６の概略図であり、出口開閉のためのボール１６ａを含む開閉弁機構１６ｂをもち、入口１６ｃと２個所の出口１６ｄ、１６ｅを備えている。そして、ボール１６ａには下方からコイルバネ（不図示）等にて上方に持ち上げる力が常にかかっている。
【００４４】
また、前記入口１６ｃ、出口１６ｄ、１６ｅは同じ側にあり、開閉弁機構１６ｂが略水平方向で回転（回転軸は三方弁１６の左右方向で中央を上下に通る軸となる。）することにより、前記ボール１６ａが出口１６ｅ上を上下し、出口１６ｅを前記ボール１６ａで開け閉めして、前記出口１６ｅは開閉可能となっている。
【００４５】
また、三方弁１６の入口１６ｃは前記凝縮器２と、出口１６ｄは冷凍室用絞り装置３と、出口１６ｅは冷蔵室用絞り装置６と各々つながっている。なお、本図においては、ボール１６ａは出口１６ｅの上方にのみ設けてあるが、出口１６ｄの上方にも同様のボール等を設け、開閉可能としてもよい。
【００４６】
そして、冷凍室１０と冷蔵室１２がともに設定温度（例えば：設定温度：冷凍室１０＝−１８℃、冷蔵室１２＝５℃）より高いときは、冷凍室温度感知装置１３や冷蔵室温度感知装置１４が室温を感知し、制御装置（不図示）にて三方弁１６の開閉弁機構１６ｂが略水平方向で回転することによりボール１６ａが上方に移動して、出口１６ｅは図３のように開放される。
【００４７】
そして、圧縮機１が運転され、凝縮器２で液化された冷媒が、三方弁１６の出口１６ｄから冷凍室用絞り装置３を通り冷凍室用蒸発器４で膨張・乾燥気化しながら周囲の空気から熱を奪って流れ、また、凝縮器２で液化された冷媒が、開かれた三方弁１６の出口１６ｅから冷蔵室用絞り装置６を通り冷蔵室用蒸発器７で膨張・乾燥気化しながら周囲の空気から熱を奪って流れ、気化した状態で冷媒が圧縮機１に戻ることとなる。
【００４８】
なお、このとき、三方弁１６のチャンバー１６ｆ内では冷媒が気液分離し、上方にガス冷媒を主体とする冷媒が、また下方に液冷媒を主体とする冷媒が存在するようにチャンバー１６ｆ内の容積が設定されている。
【００４９】
そして、前記出口１６ｄは上方のガス冷媒を主体とする冷媒の領域に位置し、前記出口１６ｅは下方の液冷媒を主体とする冷媒の領域に位置しているため、冷凍室用絞り装置３を通り冷凍室用蒸発器４へ流れる冷媒は、ガス冷媒を主体とする冷媒となり、冷蔵室用絞り装置６を通り冷蔵室用蒸発器７へ流れる冷媒は、液冷媒を主体とする冷媒となるため、冷蔵室用絞り装置６の絞り量は冷凍室用絞り装置３の絞り量より少な目に絞り、減圧量においては冷蔵室用絞り装置６のほうが冷凍室用絞り装置３より、より小さい減圧量に設定されていても、前記出口１６ｄや出口１６ｅから前記冷凍室用絞り装置３や冷蔵室用絞り装置６へ各々設定どおりの安定した冷媒流が得られることになる。
【００５０】
また、前記で、冷凍室用絞り装置３を通り冷凍室用蒸発器４へ流れる前記出口１６ｄでの冷媒が、湿りガス冷媒のみであるときや、冷凍室用絞り装置３を通り冷凍室用蒸発器４へ流れる前記出口１６ｄでの冷媒が、気液冷媒でありその液体比が大きい冷媒となるときや、冷蔵室用絞り装置６のみに液冷媒を主体とする冷媒が流れ、他方の冷凍室用絞り装置３はガス冷媒を主体とする冷媒が流れる場合の特性は、前記チェックバルブを使用のときと同様となる。
【００５１】
そして、図３のような三方弁１６本体を適度に傾斜させて、液冷媒を主体とする冷媒面と出口１６ｄとの高さ関係を調整することにより、前記出口１６ｄから冷凍室用絞り装置３に流れるガス冷媒を主体とする冷媒の気液比を調整し、冷凍室用蒸発器４と冷蔵室用蒸発器７を同時に冷媒が安定して流れる前記各々の蒸発器の最適な冷力の状態を保つ冷凍サイクルが得られ、その三方弁１６本体の傾斜状態で冷蔵庫本体に固定するようにしておくとよい。
【００５２】
なお、前記で凝縮器２と分岐弁５である三方弁１６の間に、共通の絞り装置（不図示）を設けて、ある程度減圧しておくと、図２のチェックバルブ１５のときと同様に、凝縮器２で液化された冷媒が、前記共通の絞り装置を通過して気液冷媒となり、前記三方弁１６のチャンバー１６ｆ内では冷媒が気液分離し、上方にガス冷媒を主体とする冷媒が、下方に液冷媒を主体とする冷媒がいっそう存在しやすくなる。
【００５３】
また、前記で出口１６ｄと出口１６ｅの高さの差は１．５ｍｍ以上あれば、気液分離による前記効果は充分得られ、図３のような三方弁１６で、開閉弁機構１６ｂの回転軸を垂直にしたとき、出口１６ｄと出口１６ｅの位置が水平位置にある構造の場合、具体的には、前記出口１６ｄと出口１６ｅの水平方向の間隔が８．５ｍｍであり、前記三方弁１６の開閉弁機構１６ｂの回転軸が１５°傾くように三方弁１６全体を傾け、前記出口１６ｄより出口１６ｅが、垂直方向で約２．２ｍｍ程度低く図３のように設定すると、前記効果はさらに確実に安定して得られ、量産性に富む冷蔵庫となる。
【００５４】
そして、前記三方弁１６の入口１６ｃを側方に設けても前記同様の効果は得られ、さらに、チェックバルブ１５の出口１５ｄに相当する位置に、前記三方弁１６の出口１６ｄを設けても、前記同様の効果は得られる。
【００５５】
さらに、前記チェックバルブ１５や三方弁１６等の分岐弁５の傾斜角を、復数値（例えば：１２°、１５°、１７°等）設定固定できるようにして、量産上の冷凍サイクル上のバラツキ（絞り装置、蒸発器、凝縮器、圧縮機、冷媒充填量等の組み合せ上のバラツキ）に対応するようにしておくと、サイクル上微調整のできる、さらに安定した冷却状態をもつ高効率の冷蔵庫が得られる。
【００５６】
また、共通の絞り装置（不図示）を設けたとき、前記共通の絞り装置が所定の専用の絞り装置（例えば：冷蔵室用絞り装置）と同等の絞り量に設定すると、前記専用の絞り装置が省略でき、冷凍サイクルが簡略化でき、加工性、品質信頼性、コスト性が向上する。
【００５７】
なお、前記は、冷凍室用蒸発器４と冷蔵室用蒸発器７の蒸発器が備わった冷凍サイクルの例であるが、前記各々の蒸発器と同様に、他に複数個の蒸発器を設け、それら蒸発器の設定に応じた絞り装置をそれぞれ設け、前記分岐弁５であるチェックバルブ１５や三方弁１６の出口で、設定条件にあった出口に、前記各々の絞り装置を接続すると、冷媒流の気液混合比を変えることにより、冷凍能力を変化させることができるなど、前記同様の効果が得られることは明白である。
【００５８】
【発明の効果】
本発明の冷蔵庫は前記のような構成であるから、本発明によれば、冷蔵室や冷凍室等を設けたとき、冷蔵室も冷凍室もその他の貯蔵室もその負荷変動に応じて最適の冷却効果が得られ、エネルギーロスの少ない高効率の冷凍サイクルをもった冷蔵庫が得られる。しかも、冷凍室用蒸発器や冷蔵室用蒸発器等の複数の蒸発器に、安定して同時に冷媒を流すことのできる、前記各々の蒸発器の最適な冷力状態を保つ冷凍サイクルが得られる。
【図面の簡単な説明】
【図１】本発明の冷蔵庫のブロック説明図である。
【図２】本発明の冷蔵庫のチェックバルブの説明図である。
【図３】本発明の冷蔵庫の三方弁の説明図である。
【符号の説明】
１  圧縮機
２  凝縮器
３  冷凍室用絞り装置
４  冷凍室用蒸発器
５  分岐弁
６  冷蔵室用絞り装置
７  冷蔵室用蒸発器
１０  冷凍室
１２  冷蔵室
１５  チェックバルブ
１５ａ  ニードル
１５ｄ  出口（開放出口）
１５ｅ  出口（開閉出口）
１６  三方弁
１６ｄ  出口
１６ｅ  出口
【図１】
0004380905.tif 000002
【図２】
0004380905.tif 000003
【図３】
0004380905.tif 000004